(57)【特許請求の範囲】
【請求項１】
足踏みペダルを設けた載置台に容器本体を載置し、該載置台の後側縁上部に蓋体を保持する蓋体保持部を枢支し、該蓋体保持部と前記足踏みペダルとをリンク杆を介して連繋し、該足踏みペダルを操作することにより該蓋体が該載置台の後側縁部を支点として上下に煽動し該容器本体の上面開口部が開閉されるようにしたゴミ容器用スタンドにおいて、前記蓋体保持部の中央にバネにより付勢した挟着片が蓋体の後側縁を上下から挟着する蓋挟着機構を設け、該挟着片の先端にテーパ状案内部を形成すると共に、該蓋挟着機構の両側に前方に向けて二股状に延びる一対の保持アームを形成し、該保持アームに断面コ字状の保持部材を夫々設け、蓋体の両側縁を該保持部材の先端部から該保持部材内に挿入することにより該蓋体を該保持アーム間にて後方にスライドさせ、そのスライドにより該蓋体の後側縁が前記テーパ状案内部を押圧することで前記バネの弾性に抗して該蓋挟着機構が開いて該蓋挟着機構が蓋体の後側縁をワンタッチで挟着するように構成したことを特徴とするゴミ容器用スタンド。
【請求項２】
保持部材の先端部を幅広に形成し、蓋体が該先端部から該保持部材内に挿入されるようにした請求項１に記載のゴミ容器用スタンド。
【発明の詳細な説明】
【技術分野】
【０００１】
本発明は、足踏み式にて蓋体を開閉可能に設定し得るゴミ容器用スタンドに関するもので、さらに詳しくは、蓋体を簡単確実に取付けできる蓋体保持機構の構成に係るものである。
【背景技術】
【０００２】
下記特許文献１，２に示されたような足踏み式のゴミ容器用スタンドは、例えば病院の医療施術により使用されたガーゼや脱脂綿等の医療廃棄物をゴミ容器に捨てるに際し、該ゴミ容器の蓋体を衛生上の理由から手を触れることなく開閉できるようにするものである。
【特許文献１】実開平６−６５３０６号公報
【特許文献２】特開２００１−４８３０３号公報
【０００３】
ところで、特許文献１に開示されたゴミ容器用スタンドは、足踏み式のペダルと連動するクリップ（挟着具）を設け、該クリップのバネによって蓋体を弾性的に挟着する構成であったが、蓋体の中央部分をクリップで挟着固定しただけのものであったので、安定性が悪く、ペダルを強く踏んだ場合に蓋体が開いた勢いで外れ易いという問題がある。
【０００４】
また、特許文献２に開示されたスタンドは、枠状の支持アームを蓋体の下面周縁部に形成された逆Ｕ字状の嵌合溝に合致させて該蓋体を下面から支持すると同時に、中央に設けられたバックルにより蓋体を挟着固定するものであるので、安定性は向上しているが、該支持アームは蓋体を下面からのみ支持するものであったので、上記のように勢いよく開かれると蓋体が該支持アームから浮き上がり易い。そのためにバックルによる保持力を余程強くしないと蓋体が外れ易いという問題があると共に、蓋体の取付け・取外しの作業が手間であったり、バックルによる強い保持力で蓋体を変形させるおそれがあるなどの問題があった。
【発明の開示】
【発明が解決しようとする課題】
【０００５】
そこで、本発明は上記のように、蓋体が開いた勢いで外れ易いという問題、および、蓋体の取付け・取外しに手間がかかるといった問題、バックルによる保持力で蓋体を変形させるといった問題を解消し、蓋体を外れるおそれなく簡単確実に取付け・取外しできるゴミ容器用スタンドを提供しようとするものである。
【課題を解決するための手段】
【０００６】
そのために請求項１に記載のゴミ容器用スタンドは、足踏みペダルを設けた載置台に容器本体を載置し、該載置台の後側縁上部に蓋体を保持する蓋体保持部を枢支し、該蓋体保持部と前記足踏みペダルとをリンク杆を介して連繋し、該足踏みペダルを操作することにより該蓋体が該載置台の後側縁部を支点として上下に煽動し該容器本体の上面開口部が開閉されるようにしたゴミ容器用スタンドにおいて、前記蓋体保持部の中央にバネにより付勢した挟着片が蓋体の後側縁を上下から挟着する蓋挟着機構を設け、該挟着片の先端にテーパ状案内部を形成すると共に、該蓋挟着機構の両側に前方に向けて二股状に延びる一対の保持アームを形成し、該保持アームに断面コ字状の保持部材を夫々設け、蓋体の両側縁を該保持部材の先端部から該保持部材内に挿入することにより該蓋体を該保持アーム間にて後方にスライドさせ、そのスライドにより該蓋体の後側縁が前記テーパ状案内部を押圧することで前記バネの弾性に抗して該蓋挟着機構が開いて該蓋挟着機構が蓋体の後側縁をワンタッチで挟着するように構成したことを特徴とする。
【０００７】
また、請求項２に記載した発明は上記ゴミ容器用スタンドにおいて、保持部材の先端部を幅広に形成し、蓋体が該先端部から該保持部材内に挿入されるようにしたことを特徴とする。
【発明の効果】
【０００８】
請求項１に記載したゴミ容器用スタンドの発明では、蓋体の両側縁が保持部材によって確実に保持されると共に、蓋体をスライドさせることによりワンタッチで簡単確実に取付けできる。従って使い勝手が著しく向上する。
また、請求項２に記載した発明では、蓋体を簡単に保持部材内に挿入できるようになり、蓋体の取付けがさらに容易になる。
【発明を実施するための最良の形態】
【０００９】
次に本発明の実施形態を図面に従い説明する。図１はゴミ容器用スタンドの斜視図、図２はこれに合成樹脂製の容器本体１と該容器本体の上面開口部に着脱自在に被せられる合成樹脂製の蓋体２をセットしたときの斜視図、図３はその側面図、図４は蓋体２を開けたときの斜視図である。このゴミ容器用スタンドは、丸棒状の剛性鋼線を折曲加工し溶接することにより載置台３を形成し、該載置台３上に容器本体１を載置し得るようにしている。また、載置台３の下部に軸受片４を支持し、該軸受片に支軸５によってペダル杆６を傾動自在に枢支し、該ペダルの先端に設けた足踏みペダル７を該載置台３の前方に突出させている。なお。８は該ペダル杆６の傾動範囲を規制するため載置台３の下部に設けられたストッパ部材である。
【００１０】
また、載置台３の後部に一対の支柱杆９を樹立し、該支柱杆の上端部に水平に枢軸１０を固着し、該枢軸に板状の蓋体保持部１１の後縁部を枢支すると共に、前記ペダル杆６の後端には連結ピン１２を介してリンク杆１３を連結し、該リンク杆の上端を蓋体保持部１１の下面に形成された軸受片１４に連結ピン１５を介して連結している。そして該蓋体保持部１１の中央に蓋挟着機構１６を設ける。該蓋挟着機構１６は、蓋体保持部１１の中央上面に軸支部１７を突設し該軸支部に貫挿した支軸１８に挟着片１９を支持し、該支軸１８に巻回したバネ２０に該挟着片１９を付勢すると共に、挟着片の先端縁を下方に折り返すことによりテーパ状案内部２１を形成する。また、蓋体保持部１１の前縁部を少し下方に折り曲げることにより該テーパ状案内部２１と対となるテーパ状案内部２２を形成する。
【００１１】
また、２３は蓋体保持部１１の上面に固着し蓋挟着機構１６の両側に前方に向けて二股状に延びるように形成された保持アームで、該保持アーム２３の先端部に断面コ字状の保持部材２４を夫々固着する。そして、蓋体２を蓋体保持部１１に装着するに際しては、該蓋体２の両側縁を該保持部材２４の先端部から該保持部材内に挿入することにより該蓋体を該保持アーム間にて後方にスライドさせる。このスライドにより、図５に矢印で示したように、該蓋体２の後側縁が前記テーパ状案内部２１，２２を押圧し、バネ２０の弾性に抗して挟着片１９を開かせるので、さらに該蓋体を後方にスライドさせることにより、図６に示したように、バネ２０の弾性により挟着片１９が復元し、蓋体３の後側縁をワンタッチで挟着することができる。
【００１２】
このように構成したゴミ容器用スタンドでは、足踏みペダル７を操作することにより蓋体２が載置台３の後側縁部を支点として上下に煽動し該容器本体１の上面開口部が開閉される。即ち、足踏みペダル７を踏むことにより、リンク杆１３が押し上げられることから、蓋体保持部１１が枢軸１０を支点として上向きに回転し、図４に示したように手を使うことなく蓋体２を開くことができ、また、足踏みペダル７から足を離すことにより、蓋体２は自重で閉じる。このため、ガーゼや脱脂綿等の医療廃棄物を蓋体２に手が触れることなく衛生的に捨てることができる。
【００１３】
なお、図７に示した実施形態は、上記保持部材２４の先端部２４ａを幅広に形成したもので、このように幅広に形成することにより、蓋体２を該保持部材２４内に挿入し易くできるので、上記したように蓋体２をワンタッチで一層装着し易くすることができる。
また、以上の実施形態では、ゴミ容器として容器本体１が平面長方形であるものを示したが、ゴミ容器の形状はこの実施形態のものに限らず、例えば平面正方形のものにも適用することができる。
【００１４】
このように本発明のゴミ容器用スタンドでは、蓋体１６の両側縁を保持部材２４の先端部から該保持部材内に挿入し該蓋体を該保持アーム間にて後方にスライドさせるだけで該蓋体をワンタッチで装着できるので、簡単に蓋体を取付け・取外しでき、ゴミ回収作業が容易になる。また、蓋体２が中央の蓋挟着機構１６とその両側に延びるように設けられた保持アーム先端の断面コ字状の保持部材２４とによって保持されるようにしたので、蓋体２を挟むバネ２０の強度は蓋体３をスライドさせることによりワンタッチで該蓋体３が挟着される程度のものであっても該蓋体２を安定して保持することができ、足踏みペダルを強く踏んで蓋体１６が勢いよく開いたときにも蓋体１６はこの蓋挟着機構１６と保持部材２４とによりしっかり保持されるので、従来のように強い力で狭着されていなくても蓋体２が常に安定的に保持され外れるおそれがないなど顕著な効果がある。
【図面の簡単な説明】
【００１５】
【図１】本発明の実施形態を示すゴミ容器用スタンドの斜視図。
【図２】図１のゴミ容器用スタンドに容器本体と蓋体をセットしたときの斜視図。
【図３】図２の側面図。
【図４】図２の蓋体を開けたときの斜視図。
【図５】蓋体を蓋体保持部に装着する際の要部の縦断面図。
【図６】蓋体保持部の縦断面図。
【図７】本発明の他の実施形態を示すゴミ容器用スタンドの蓋体保持部の斜視図。
【符号の説明】
【００１６】
１      容器本体
２      蓋体
３      載置台
７      足踏みペダル
９      支柱杆
１０    枢軸
１１    蓋体保持部
１３    リンク杆
１６    蓋挟着機構
１７    軸支部
１８    支軸
１９    挟着片
２０    バネ
２１    テーパ状案内部
２２    テーパ状案内部
２３    保持アーム
２４    保持部材
２４ａ  保持部材の先端部
【図１】
0004871837.tif 000002
【図２】
0004871837.tif 000003
【図３】
0004871837.tif 000004
【図４】
0004871837.tif 000005
【図５】
0004871837.tif 000006
【図６】
0004871837.tif 000007
【図７】
0004871837.tif 000008